(57)【要約】【課題】本発明は、空気調和機能を備える他、室内の換気を可能とし、さらに熱交換器や室内機本体等に付着する湿分を速やかに外部へ排出し、熱交換器等の完全乾燥化によるカビ等の発生を防止して清潔度の向上を得る空気調和機の室内機を提供する。【解決手段】室内機本体１は吸込み口４，６と吹出し口９を備え内部に熱交換器１０と室内送風機１３を配置して冷暖房運転が可能であり、換気ユニット１５は室内送風機の側方部位に並設され室内機本体内に開口する吸込み部３１と外部に開口する排出口体３２が接続され、かつダンパ４０とダンパ駆動機構４５を備え、熱交換器を流通したあとの２次側空気を外部へ排出する清浄運転モードと、熱交換器を流通する以前の１次側空気を外部へ排出する換気運転モードと、２次側空気および１次側空気の両方を外部へ排出する全換気清浄運転モードと、外部に連通する排出口体を閉塞し室内機本体内部と外部との流通を遮断する全閉モードとに切換え可能とした。【選択図】      図３
2005180760.tif 000002
【特許請求の範囲】
【請求項１】
吸込み口および吹出し口が設けられ、内部に熱交換器および室内送風機が配置されて、冷暖房運転の切換えが可能な室内機本体と、
この室内機本体内における上記室内送風機の側方部位に並設され、室内機本体内に開口する吸込み部を備えるとともに、外部に開口する排出口体が接続される換気ユニットとを具備し、
上記換気ユニットは、
上記熱交換器を流通したあとの空気（２次側空気）を上記吸込み部から吸込み、上記排出口体を介して外部へ排出する清浄運転モードと、
上記熱交換器を流通する以前の空気（１次側空気）を上記吸込み部から吸込み、上記排出口体を介して外部へ排出する換気運転モードと、
上記熱交換器を流通したあとの２次側空気および上記熱交換器を流通する以前の１次側空気の両方を上記吸込み部から吸込み、上記排出口体を介して外部へ排出する全換気清浄運転モードと、
外部に連通する上記排出口体を閉塞し、室内機本体内部と外部との流通を遮断する全閉モードと
に切換えるダンパおよびダンパ駆動機構を具備することを特徴とする空気調和機の室内機。
【請求項２】
上記換気ユニットのダンパおよびダンパ駆動機構は、上記熱交換器における熱交換作用がなく室内の換気のみをなす場合に上記全換気清浄運転モードを選択し、冷暖房運転時において上記換気運転モードを選択することを特徴とする請求項１記載の空気調和機の室内機。
【請求項３】
上記換気ユニットのダンパおよびダンパ駆動機構は、冷暖房運転の終了直後の所定時間内に上記全換気清浄運転モードを選択することを特徴とする請求項１および請求項２のいずれかに記載の空気調和機の室内機。
【発明の詳細な説明】
【技術分野】
【０００１】
本発明は、室内機と室外機とから構成される空気調和機に係り、特に、室内機における室内換気機能の付加に関する。
【背景技術】
【０００２】
室内機と室外機とから構成される空気調和機が多用されているが、使用者にとって室内の空気調和を行うことばかりでなく、換気機能のみを要望する場合がある。たとえば居間で喫煙することにより煙が充満する、あるいは居間に不快な臭いが篭るなどの一方で、窓を開放すると外部の騒音や塵埃等が侵入してしまう等の条件が考えられる。  
通常、換気扇は台所などには備えられているが、居間専用の換気扇を備えることはほとんどない。したがって上記の場合は、わずかでも窓を開放するか、窓を開放せずそのまま我慢することで対応しなければならず、いずれにしても快適性が損なわれている。  
そこで、［特許文献１］には室内機本体を横に長く伸ばし、熱交換器に隣接した位置に換気用送風機を備えた技術が記載されている。この換気用送風機は、一つの通風路を備えていて、この通風路を用いて室外空気の室内への給気と室内空気の室外への排気との切換えが可能であり、外部に連通する換気用ダクトおよび室内と室外の環境を検知する環境検知手段を備えている。
【特許文献１】特開２０００−２４９３６５号公報
【発明の開示】
【発明が解決しようとする課題】
【０００３】
ところで、冷房運転や除湿運転などを行って停止した直後の室内機本体内は、熱交換器をはじめとして他の構成部品に湿分（ドレン水）が付着しており、室内機本体内は高湿度雰囲気となっている。そのまま放置すると、付着した湿分が蒸発しないまま残って、腐蝕もしくはカビの発生要因となる。  
［特許文献１］に記載された技術では、必要に応じて室内空気を室外に排気し、もしくは室外空気を室内へ給気するようになっていて、単に室内空気もしくは室外空気が換気用送風機を通過するに過ぎない。すなわち、ここには熱交換器や室内機本体などに対する効率の良い乾燥をなすことの対応技術の開示がない。
【０００４】
本発明は上記事情に鑑みなされたものであり、その目的とするところは、本来の空気調和機能を備える他、室内の換気を可能とし、さらに熱交換器をはじめとする室内機本体内に付着する湿分を速やかに外部へ排出し、熱交換器等の完全乾燥化によるカビ等の発生を防止して清潔度の向上を得る空気調和機の室内機を提供しようとするものである。
【課題を解決するための手段】
【０００５】
本発明は上記目的を満足するためになされたものであり、室内機本体は吸込み口および吹出し口が設けられ内部に熱交換器および室内送風機が配置されて冷暖房運転の切換えが可能であり、換気ユニットは室内機本体内における室内送風機の側方部位に並設されて室内機本体内に開口する吸込み部を備え外部に開口する排出口体が接続され、上記換気ユニットはダンパおよびダンパ駆動機構を備え、熱交換器を流通したあとの２次側空気を吸込み部から吸込み排出口体を介して外部へ排出する清浄運転モードと、熱交換器を流通する以前の１次側空気を吸込み部から吸込み排出口体を介して外部へ排出する換気運転モードと、熱交換器を流通したあとの２次側空気および熱交換器を流通する以前の１次側空気の両方を吸込み部から吸込み排出口体を介して外部へ排出する全換気清浄運転モードと、外部に連通する排出口体を閉塞し室内機本体内部と外部との流通を遮断する全閉モードとに切換え可能とする。
【発明の効果】
【０００６】
本発明によれば、本来の空気調和機能に室内の換気機能を付加するとともに、熱交換器等に付着する湿分を外部に完全排出してカビ等の発生を抑制する機能を備えて、室内機本体内における清潔度の向上化を得るなどの効果を奏する。
【発明を実施するための最良の形態】
【０００７】
以下、本発明の一実施の形態を図面にもとづいて説明する。  
図１は空気調和機を構成する室内機の概略の縦断面図、図２は前面パネル２を取外して室内機内部を見せた斜視図である。  
室内機本体１は前面パネル２と後板３とから構成されていて、上下方向に対して幅方向が極端に長い横長状をなす。前面パネル２は湾曲して手前側に突出し、左右両側に側面部を備えている。後板３は横長の矩形状をなし、室内壁面に取付けられる。上記前面パネル２の前面側一部に前部吸込み口４が開口され、開閉駆動機構５に支持された可動パネル２ａが嵌め込まれている。運転停止時において、可動パネル２ａは前面パネル２と同一面となり前部吸込み口４を閉成するが、運転時には図１に二点鎖線で示すように手前側に突出変位して前部吸込み口４を開放するよう制御される。
【０００８】
前面パネル２および後板３の上部に亘って、枠状の桟７が嵌め込まれる上部吸込み口６が設けられる。上記可動パネル２ａ下部には、運転条件に応じて姿勢角度を可変し熱交換空気の吹出し方向を設定する、もしくは完全閉成する２枚の吹出しルーバー８ａ，８ｂを備えた吹出し口９が設けられる。  
室内機本体１内には、前側熱交換器部１０Ａと後側熱交換器部１０Ｂとで略逆Ｖ字状に形成される熱交換器１０が配置される。上記前側熱交換器部１０Ａは、前面パネル２と間隙を存してほぼ平行な湾曲状に形成され、かつ後側熱交換器部１０Ｂは直状に形成されて上部吸込み口６と斜めに傾斜して対向する。
【０００９】
上記前側熱交換器部１０Ａの下端部は前ドレンパン１６ａ上に載り、後側熱交換器部１０Ｂの下端部は後ドレンパン１６ｂ上に載って、それぞれの熱交換器部１０Ａ，１０Ｂから滴下するドレン水を受け、図示しない排水ホースを介して外部に排水できるようになっている。  
前部吸込み口４と上部吸込み口６とに対向する室内機本体１内にエアーフィルタ１１が取付けられる。このエアーフィルタ１１は各吸込み口４，６と前部熱交換器部１０Ａおよび上部熱交換器部１０Ｂとの間に介在され、開放した吹出し口９上端と前面パネル２下端の間から着脱自在に挿着される。
【００１０】
上記熱交換器１０の前側熱交換器部１０Ａの前面側で、かつ室内機本体１に対する正面視で右端部側にずれた位置に電気集塵機１２が取付けられる。この電気集塵機１２は、流通する空気中の塵埃に電荷を与える荷電側電極と、電荷を与えられた塵埃を引きつけて捕捉する集塵側電極とから構成される。  
なお上記電気集塵機１２は、通常の集塵時よりも集塵側電極との電位差が大きくなるように荷電側電極に高い高電圧を印加すると、多くのオゾンが発生するオゾン発生装置となる。このとき、周囲の空気の流れを制限するため送風機１３を停止もしくは極く低速運転することで、オゾンの発生量がより大となる。  
上記熱交換器１０の前後側熱交換器部１０Ａ，１０Ｂの相互間で、かつ上記吹出し口９との間に室内送風機１３が配置される。すなわち、傘状に形成される熱交換器１０の内側に、熱交換器１０に対向した状態で室内送風機１３が位置している。この室内送風機１３の側方部位には、室内送風機１３と同様、傘状に形成される熱交換器１０の内側に、熱交換器１０と対向する位置に後述する換気ユニット１５が配置される。
【００１１】
つぎに、上記換気ユニット１５について説明する。  
図３は換気ユニット１５を断面にして示すとともに、他の構成部品に対する配置構成を説明する図であり、図４は換気ユニット１５を分解した斜視図であり、図５（Ａ）は換気ユニット１５の一側面側の斜視図であり、図５（Ｂ）は換気ユニット１５の他側面側の斜視図である。  
上記換気ユニット１５は、換気ユニット１５の一側面部を形成するユニットベース２０と、他側面部を形成する送風機構３０と、これらユニットベース２０と送風機構３０との間に介設されるダンパ４０およびダンパ駆動機構４５とから構成される。
【００１２】
上記ユニットベース２０は、垂直部２０ａを備え、この垂直部の下端縁を除く端縁に沿って傾斜部２０ｂが形成され、この傾斜部の端縁から水平方向に一体に折曲される水平部２０ｃを備えている。垂直部２０ａの上部は側面視で略三角状に突出形成され、熱交換器１０を構成する前側熱交換器部１０Ａと後側熱交換器部１０Ｂの傘状の組合せ形状と合致している。  
上記水平部２０ｃの端縁に沿って立上り片部ｋが形成され、熱交換器１０の端板ｔが位置合わせされ、かつ水平部２０ｃ上に熱交換器１０を構成するフィンＦが載る。水平部２０ｃ上に熱交換器１０が載ることで傾斜部２０ｂと対向する部位に隙間が形成される。垂直部２０ａの略中央部に円形状の取付け用開口部２１が開口され、この開口部の周面に沿い垂直部２０ａ内面側へリブ２２が折曲形成される。また、上記取付け用開口部２１の周縁に沿う垂直部２０ａ外面側に、放射状に補強用リブ２３が設けられる。
【００１３】
上記垂直部２０ａの内面側で、開口部２１の略半周に沿い所定間隔を存して複数（７本）の全閉用片部２４が設けられる。これら全閉用片部２４における半分の全閉用片部２４相互間は開口されていて、この開口部を２次用換気口２５と呼ぶ。すなわち、２次用換気口２５は３口設けられる。垂直部２０ａの取付け用開口部２１に軸受け具２６が嵌着固定され、これらで軸受け部２７が構成される。この軸受け部２７は上記室内送風機１３を構成する横流ファン１３Ｆの一方の回転軸ｈを軸支している。  
垂直部２０ａの内面側で、同一の曲率半径上に２本のステー２８ａが突設される。これらステー２８ａは突出端部のみ直径が細く形成され、ダンパ駆動機構４５を構成する小ギヤ４６が回転自在に嵌め込まれかつ抜け止めされている。ステー２８ａの近傍には、これより高さの大きい複数本のステー２８ｂが設けられる。各ステー２８ｂの突出端面から軸方向にねじ孔が設けられ、送風機構３０を取付け固定する取付けねじｍが螺挿される。
【００１４】
上記全閉用片部２４近傍に設けられるステー２８ｂのみ、周部に隣接して受け部２９が一体に設けられる。受け部２９にはダンパ駆動機構４５を構成する駆動用モータ４７が取付けられ、この駆動用モータ４７の回転軸に連結する駆動ギヤ４８が回転自在に支持される。軸受け部２７を構成するリブ２２外周面に、ダンパ４０の中心部に設けられる孔部である嵌合部４１が回転自在に嵌め込まれている。このダンパ４０は嵌合部４１から径方向に断面略皿状に形成され、円形外周縁に沿ってギヤ部４２が設けられる。  
上記ダンパ４０のギヤ部４２には、先に説明した２個の小ギヤ４６と駆動用ギヤ４８が噛合するよう組み立てられる。したがって、駆動用モータ４７が駆動ギヤ４８を回転駆動することによりダンパ４０が回転させられ、かつ小ギヤ４６はダンパギヤ部４２に対してアイドルギヤ的に機能する。ダンパ４０における嵌合部４１と外周ギヤ部４２との間で、周方向の一部には複数（３口）の案内用換気口４３が設けられる。これら案内用換気口４３は、ユニットベース垂直部２０ａに設けられる２次用換気口２５と全く同一の開口寸法形状をなしている。
【００１５】
上記案内用換気口４３の相互間に形成される桟部ｎは、互いの間隔が全閉用片部２４相互間隔と全く同一である。ダンパ４０はリブ２２に嵌め込まれた状態で垂直部２０ａ内面とは間隙を存しているが、ダンパ４０の一側面は垂直部２０ａ内面に突設される全閉用片部２４端縁に常に摺接状態にある。したがって、ダンパ４０の案内用換気口４３が垂直部２０ａの２次用換気口２５と対向している状態を除いて、各２次用換気口２５はダンパ４０によって閉塞されている。  
上記送風機構３０は、ダンパ４０側の側面に吸込み部３１が設けられ、周方向に矩形状の排出口体３２が突設されるケーシング３３と、このケーシングの吸込み部３１対向側面に取付けられるファンモータ３４と、このファンモータの回転軸に取付けられるファン３５とから構成される。上記ファン３５は、回転にともなって軸心方向から空気を吸込んで周方向へ送風する、いわゆるシロッコファンタイプである。したがって、ファン３５はケーシング３３に開口する吸込み部３１から空気を吸込んで排出口体３２から送風する作用をなす。
【００１６】
上記送風機構３０は、ダンパ４０とダンパ駆動機構４５を介してユニットベース２０の垂直部２０ａに取付けられているので、送風機構３０と垂直部２０ａとは間隙を存している。送風機構３０の周面はユニットベース２０の傾斜部２０ｂおよび水平部２０ｃと間隙を存して取付けられ、特にユニットベース２０の三角状突部での間隙が大である。  
再び図２に示すように、前ドレンパン１６ａの左側端部にはドレン排水用ニップル５０および換気用ニップル５１が正面視での位置を揃えて、互いに同一傾斜角度で突設されている。上記換気用ニップル５１内には換気ユニット１５の排出口体３２が挿入され、かつニップル５１外周面に図示しない排出用ホースが接続される。上記ドレン排水用ニップル５０には図示しないドレンホースが接続され、各ホースは屋外へ延出される。
【００１７】
このようにして構成される空気調和機の室内機であって、リモコンの運転スイッチをオンに切換えると、図１に二点鎖線で示すように前面パネル２の一部をなす可動パネル２ａが前部吸込み口４を開放し、冷房運転と暖房運転の指定に応じて吹出し口９に備えられる吹出しルーバー８ａ，８ｂが回動し、その姿勢が設定される。同時に、室内送風機１３が送風作用をなす一方で、室外機の圧縮機が駆動され冷凍サイクル運転が開始される。室内空気は、上部吸込み口６と前部吸込み口４から室内機本体１内に導かれ、エアーフィルタ１１を通過する。  
室内空気中に含まれるほとんどの塵埃はエアーフィルタ１１によって捕捉され、塵埃が除去された状態で熱交換器１０を通過して熱交換作用が行われる。この熱交換空気は吹出し通風路１８に沿って導かれ、吹出し口９から吹出しルーバー８ａ，８ｂに案内されて室内へ吹出され、効率のよい空調運転を継続する。上記電気集塵機１２を機能させることにより、エアーフィルタ１１を通過した細かい塵埃は完全に捕捉され、清浄化した空気が熱交換器１０を介して吹出し口９から室内に吹出される。
【００１８】
つぎに、上記換気ユニット１５の作用について説明する。  
換気ユニット１５はダンパ４０とダンパ駆動機構４５を備えているので、４種類のモードに切換えられ、それぞれのモード選択が可能である。  
「１．清浄運転モード」：上記熱交換器１０を流通したあとの空気である２次側空気を吸込み部３１から吸込み、排出口体３２を介して外部へ排出する。  
「２．換気運転モード」：熱交換器１０を流通する以前の空気である１次側空気を吸込み部３１から吸込み、排出口体３２を介して外部へ排出する。  
「３．全換気清浄運転モード」：熱交換器１０を流通したあとの２次側空気および熱交換器１０を流通する以前の１次側空気の両方を吸込み部３１から吸込み、排出口体３２を介して外部へ排出する。  
「４．全閉モード」：環境条件等に応じて外部に連通する排出口体３２を閉塞し、室内機本体１内部と外部との流通を遮断する。
【００１９】
以下、各モードについて説明する。  
はじめに、「１．清浄運転モード」について説明する。  
図６（Ａ）は清浄運転モード時における送風機構３０を取外した換気ユニット１５の内部構造図、図６（Ｂ）は同清浄運転モード時における空気の流れ状態を説明するための室内機本体１の模式的な図である。  
清浄運転モードを選択すると、室内送風機１３は超低速運転が行われる一方で、可動パネル２ａが前部吸込み口４を閉成し、上側の吹出しルーバー８ａは吹出し口９を小さく開放し、下側の吹出しルーバー８ｂは閉成される。
【００２０】
そのうえで、ダンパ駆動機構４５が作動してダンパ４０を回動駆動する。ダンパ４０の案内用換気口４３がユニットベース２０の２次用換気口２５と対向する位置に到達したら、ダンパ４０の駆動を停止する。この状態は、図５（Ａ）にも示されている。ついで送風機構３０が作動し、２次用換気口２５と案内用換気口４３を介して換気ユニット１５内に空気を吸込み、送風機構３０を介して排出口体３２から吹出す。  
通常、冷房運転や除湿運転などを行って停止した直後の状態では、熱交換器１０に湿分（ドレン水）が付着していて、室内機本体１内は高湿度雰囲気となっている。そのまま放置すると、熱交換器１０をはじめとして他の構成部品に付着した湿分が蒸発せず、腐蝕もしくはカビの発生要因となる。そこで、清浄運転モードを選択して、熱交換器１０は勿論のこと、他の構成部品と室内機本体１内の乾燥と殺菌をなす。
【００２１】
具体的には、室内送風機１３が超低速運転し、かつ全部吸込み口４を閉成しているので、上部吸込み口６から微量の室内空気が室内機本体１内に吸込まれ、熱交換器１０を通過するとともに他の構成部品に接触する。したがって、熱交換器１０を構成するフィンＦ相互間および他の構成部品に付着していた湿分が蒸発する。熱交換器１０を通過したあとの空気である２次側空気は、充分に蒸発湿分を含んだ高湿度の状態で換気ユニット１５に吸込まれる。  
図３に一点鎖線矢印で示すように、充分に蒸発湿分を含んだ高湿度の２次側空気はユニットベース２０の傾斜部２０ｂ外面と熱交換器１０との隙間を介して、垂直部２０ａ外面と横流ファン１３Ｆ端面との間に導かれる。そして、互いに対向する２次用換気口２５および案内用換気口４３を介してケーシング３３の吸込み部３１から内部に吸込まれ、さらに排出口体３２から吹出される。したがって、充分に蒸発湿分を含んで高湿度の２次側空気が外部へ排出される。
【００２２】
このようにして、熱交換器１０および室内機本体１内は早急に完全乾燥して、カビ等の発生を完全に防止する。上記運転を所定時間継続したあとは電気集塵機１２に通電される。電気集塵機１２で発生したオゾンが室内機本体１内に充満し、上部吸込み口６から吸込まれる微量の室内空気によって運ばれる。オゾンを含んだ室内空気が熱交換器１０および他の構成部品に接触しかつ通過して殺菌し、臭いのもとを断つ。室内機本体１内を殺菌したあとの空気は上述したように換気ユニット１５に導かれ、さらに排気口体３２から外部へ排出される。  
上記電気集塵機１２を熱交換器１０の右側端部方向へずれた位置に配置し、換気ユニット１５を熱交換器１０の左側端部に配置したから、電気集塵機１２で発生したオゾンを室内機本体１内に充満させ、全体的に行き亘せたあと換気でき、効率の良い本体内殺菌をなす。所定時間経過後、電気集塵機１２の機能が停止され、室内送風機１３の運転をある程度継続すると換気ユニット１５の機能も停止し、全ての清浄運転モードが終了する。
【００２３】
なお、図６（Ｂ）に示すように、清浄運転モード中は上側の吹出しルーバー８ａのみをわずかに開放し、かつ室内送風機１３を超低速運転しているので、室内機本体１内を通過したあとの一部の空気が吹出しルーバー８ａから吹出されて前面パネル２に沿って導かれ、再び上部吸込み口６に吸込まれる。したがって、吹出し口９と上部吸込み口６との室内機本体１前面において、いわゆるショートサーキット風が形成され、可動パネル２ａを含めた前面パネル２の清浄・殺菌化に役立つ。
【００２４】
つぎに、「２．換気運転モード」について説明する。  
この換気運転モードは、空調運転と並行して選択してもよく、あるいは空調運転の停止時に選択してもよい。すなわち、冷房運転もしくは暖房運転を行いながら室内の換気を行う場合に換気運転モードを選択する。また、たとえば夏季の外出時に閉めきった室内に熱気が篭っていて、帰宅後早急に室内温度を下げて冷房負荷を抑える場合などにも換気運転モードを選択するとよい。  
図７（Ａ）は換気運転モード時における送風機構３０を取外した換気ユニット１５の内部構造図、図７（Ｂ）は同換気運転モード時における空気の流れ状態を説明するための室内機本体１の模式的な図である。
【００２５】
ここでは、冷凍サイクル運転を停止して熱交換器１０における熱交換作用がなく、室内送風機１３を停止させ、電気集塵機１２をＯＦＦ状態とする設定である。可動パネル２ａおよび吹出しルーバー８ａ，８ｂは吹出し口９を閉成するが、上部吸込み口６は常時開放しているため、常に室内空気を室内機本体１内に導入できる。  
換気ユニット１５において、ダンパ駆動機構４５はダンパ４０を回動駆動し、ダンパ４０に設けられる案内用換気口４３がユニットベース２０の２次用換気口２５とは対向しない位置に変位したら、ダンパ駆動機構４５は作動を停止する。清浄運転モード時におけるダンパ４０の位置から、ダンパ４０が略１２０°回動変位した位置が、この換気運転モードに対応する。
【００２６】
上記位置ではダンパ４０面がユニットベース２０の全閉用片部２４端縁に接触し、２次用換気口２５がダンパ４０によって閉成される。その一方で、送風機構３０周面とダンパ４０側面に対するユニットベース２０の各内面とは間隙が形成され、案内用換気口４３はこれらの隙間と連通する。送風機構３０が作動して常時開放する上部吸込み口６から室内空気を吸込む。室内機本体１内に吸込まれた室内空気はエアーフィルタ１１を通過して塵埃を捕捉されたあと、熱交換器１０を通過する以前の１次側空気として換気ユニット１５に直接導かれる。  
なお説明すれば、図３に実線矢印で示すように、室内機本体１内に吸込まれた室内空気は室内送風機１３が停止する一方で換気ユニット１５の送風機構３０が作動しているので、１次側空気としてエアーフィルタ１１と熱交換器１０の前面と間から換気ユニット１５が配置される左側端部に集められる。
【００２７】
そして、熱交換器１０側面と室内機本体１の側面部１ａとの間から換気ユニット１５に導かれる。上述したように、ユニットベース２０と送風機構３０のケーシング３３との間に隙間が形成されているとともに、ユニットベース２０とダンパ４０との間に隙間が形成され、かつ案内用換気口４３が開放している。上記換気ユニット１５に導かれた１次側空気は、ユニットベース２０と送風機構ケーシング３３との隙間から、ユニットベース２０とダンパ４０との隙間を介して案内用換気口４３に導かれ、さらに排出口体３２から外部へ排出される。
【００２８】
このようにして、室内の汚れた空気が一旦、室内機本体１内に吸込まれ、さらに換気ユニット１５の作用によってフィルタ１１を通過したあと熱交換器１０に導かれる以前の１次側空気の状態で、換気ユニット１５を介して外部へ排出される。  
以上は空調運転を停止した状態での換気運転モードであるが、空調運転を継続したうえで換気運転モードを選択しても何らの支障もない。この場合にも、熱交換器１０を通過する以前の１次側空気を集めて外部へ換気するので、空調運転によるエネルギーロスを必要最小限に抑えた省エネ運転が可能となる。結局、この換気運転モードを選択することにより、室内の汚れた空気を外部へ排出する換気機能を有することになる。
【００２９】
つぎに、「３．全換気清浄運転モード」について説明する。  
この全換気清浄運転モードは、先に説明した清浄運転モードの作用と換気運転モードの作用の双方が同時に行われる状態を言う。すなわち、室内機本体１内を乾燥して殺菌・清浄化がなされ、そのあとの空気を換気ユニット１５を介して外部へ排出する。そして、室内機本体１内に吸込んだ室内空気を濾過したあと熱交換器１０に導くことなく、そのまま換気ユニット１５から外部へ排出する作用を滞りなく行う。  
この全換気清浄運転モードは、熱交換器１０で熱交換作用がなされず冷暖房運転を停止している間や、室内の換気を選択した場合に行われる。もしくは、冷暖房運転が終了したあと自動的に切換って、所定時間の範囲内で行われる。
【００３０】
図８（Ａ）は全換気清浄運転モード時における送風機構３０を取外した換気ユニット１５の内部構造図、図８（Ｂ）は全換気清浄運転モード時における空気の流れ状態を説明するための室内機本体１の模式的な図である。  
換気ユニット１５におけるダンパ駆動機構４５はダンパ４０を回動駆動し、ダンパ４０に設けられる案内用換気口４３のたとえば１口がユニットベース２０の２次用換気口２５とは対向する位置に変位したら、ダンパ駆動機構４５は作動を停止する。あるいは、３口ある案内用換気口４３のうちの２口が２次換気口２５と対向する位置に変位したらダンパ駆動機構４５を停止してもよく、あるいは各案内用換気口４３の略半分の面積部分が２次換気口２５と対向し、残りの半分の面積が対向しない状態としてもよい。
【００３１】
したがって、図３において説明したように一点鎖線矢印で示す空気の流れと、実線矢印で示す空気の流れとの両方が存在する。室内機本体１内に吸込まれた室内空気はエアーフィルタ１１を通過して塵埃を捕捉されたあと、熱交換器１０を通過する以前の１次側空気の一部は換気ユニット１５に直接導かれる。同時に、熱交換器１０等を流通して乾燥・殺菌を行ったあとの２次側空気の一部が換気ユニット１５の吸込み部３１に吸込まれ、さらに排気口体３１を介して外部へ排出される。  
そのため、熱交換器１０における熱交換作用がなくて冷暖房運転が行われず、かつ室内換気が選択された場合に全換気清浄運転モードに切換えれば、室内機本体１における室内空気吸込みの開口率を大きくとることができ、この位置での換気量が増大して効率のよい換気が行われる。  
もしくは、冷暖房運転が終了した直後に自動的に全換気清浄運転モードに切換えて所定時間の範囲内で行うようにすれば、冷暖房運転中に室内機本体１内に凝縮した臭気や、特に冷房運転後に熱交換器１０と前後ドレンパン１６ａ，１６ｂその他の構成部品および室内機本体１内に付着した湿分を確実に外部へ排出でき、各構成部品と室内機本体１内部の早急な乾燥化を得られカビ等の発生を防止する。
【００３２】
つぎに、「４．全閉モード」について説明する。  
換気ユニット１５の排気口体３２は、換気用ニップル５１に接続されるホースを介して外部と直接的に連通している。外部に多量の塵埃が浮遊し、あるいは夜間に大なる騒音があると、これらがホースと排気口体３２を介して換気ユニット１５内部に侵入し、さらには吸込み部３１から室内機本体１を通過して室内に漏れることが考えられる。このような据付け環境条件もしくは使用環境条件など、必要に応じて換気ユニット１５を完全閉成状態にして換気機能を停止する場合に、上記した「全閉モード」を選択して塵埃や騒音の侵入を阻止する。
【００３３】
図９（Ａ）は換気運転モード時における送風機構３０を取外した換気ユニット１５の内部構造図、図９（Ｂ）は同換気運転モード時における空気の流れ状態を説明するための室内機本体１の模式的な図である。  
ダンパ駆動機構４５はダンパ４０を回動し、案内用換気口４３相互間の桟部ｎがユニットベース垂直部２０ａの全閉用片部２４端縁に対向した位置でダンパ４０の回動を停止する。このときのダンパ４０の回動角度は、先に説明した換気運転モードにおけるダンパ４０の位置から略９０°回動した位置に設定されている。
【００３４】
全ての案内用換気口４３はユニットベース２０の全閉用片部２４とリブ２１によって周囲を囲まれ、完全閉成状態になる。ユニットベース２０の２次用換気口２５がダンパ４０面によって完全閉成されることには変わりがない。したがって、換気ユニット１５はダンパ４０によって完全閉成される。換気ユニット１５を介して屋外の塵埃、騒音等の室内機本体１と室内への侵入を確実に阻止でき、快適性の向上を図れる。  
上記換気ユニット１５は、先に説明した全換気清浄運転モードの終了後に全閉モードになるように設定されている。また、空調運転の際にこのモードを選択すれば、通常の空調運転と同等の状態となる。  
なお、本発明における室内機本体１および換気ユニット１５は以上説明した構成に限定されるものではなく、本発明の趣旨を越えない範囲内で種々変形実施可能であることは勿論である。
【図面の簡単な説明】
【００３５】
【図１】本発明の一実施の形態を示す、空気調和機の室内機の断面図。
【図２】同実施の形態を示す、室内機の前面パネルを開放した状態の斜視図。
【図３】同実施の形態を示す、換気ユニットとその周辺部位の断面図。
【図４】同実施の形態を示す、換気ユニットの分解した斜視図。
【図５】同実施の形態を示す、換気ユニットの一面側と他面側の斜視図。
【図６】同実施の形態を示す、清浄運転モードを選択した場合の換気ユニットの正面図と室内機本体の模式的断面図。
【図７】同実施の形態を示す、換気運転モードを選択した場合の換気ユニットの正面図と室内機本体の模式的断面図。
【図８】同実施の形態を示す、全換気清浄運転モードを選択した場合の換気ユニットの正面図と室内機本体の模式的断面図。
【図９】同実施の形態を示す、全閉モードを選択した場合の換気ユニットの正面図と室内機本体の模式的断面図。
【符号の説明】
【００３６】
４…前部吸込み口、６…上部吸込み口、９…吹出し口、１０…熱交換器、１３…室内送風機、１…室内機本体、１５…換気ユニット、３１…吸込み部、３２…排出口体、４０…ダンパ、４５…ダンパ駆動機構。
【図１】
2005180760.tif 000003
【図２】
2005180760.tif 000004
【図３】
2005180760.tif 000005
【図４】
2005180760.tif 000006
【図５】
2005180760.tif 000007
【図６】
2005180760.tif 000008
【図７】
2005180760.tif 000009
【図８】
2005180760.tif 000010
【図９】
2005180760.tif 000011